(57)【要約】【課題】サッカーなどのボールを用いたスポーツの練習が、例えば一人などの少人数であっても容易に実施できるようにする。【解決手段】バウンド用障壁１０１、標的部１０３を備える。バウンド用障壁１０１は、平面視環状とされている。例えば、円環状、多角形による環状とされていればよい。また、バウンド用障壁１０１は、断面が円形とされている。また、標的部１０３は、バウンド用障壁１０１の中央底部に配置されている。【選択図】  図１
2018082890.tif 000002
【特許請求の範囲】
【請求項１】
平面視環状のバウンド用障壁と、
前記バウンド用障壁の中央底部に配置された標的部と
を備えることを特徴とするボールインターゲット。
【請求項２】
請求項１記載のボールインターゲットにおいて、
前記バウンド用障壁は、平面視の形状が円環状とされていることを特徴とするボールインターゲット。
【請求項３】
請求項１または２記載のボールインターゲットにおいて、
前記バウンド用障壁は、断面が円形とされていることを特徴とするボールインターゲット。
【請求項４】
請求項１〜３のいずれか１項に記載のボールインターゲットにおいて、
大地側に配置される固定部を備え、
前記バウンド用障壁は、前記固定部に固定されている
ことを特徴とするボールインターゲット。
【請求項５】
請求項１〜４のいずれか１項に記載のボールインターゲットにおいて、
前記バウンド用障壁の内側に配置された筒状の標的部障壁を備え、
前記標的部は、前記標的部障壁の底部に配置され、
前記標的部障壁は高さが可変とされている
ことを特徴とするボールインターゲット。
【請求項６】
請求項５記載のボールインターゲットにおいて、
前記標的部障壁は、平面視の形状が円環状とされていることを特徴とするボールインターゲット。
【請求項７】
請求項５または６記載のボールインターゲットにおいて、
前記標的部障壁は、前記固定部に固定されていることを特徴とするボールインターゲット。
【請求項８】
請求項１〜７のいずれか１項に記載のボールインターゲットにおいて、
前記バウンド用障壁の内側に配置された平面視環状の追加バウンド用障壁を備え、
前記標的部は、前記追加バウンド用障壁の中央底部に配置され、
前記追加バウンド用障壁は、前記バウンド用障壁より断面形状が高く形成されている
ことを特徴とするボールインターゲット。
【請求項９】
請求項８記載のボールインターゲットにおいて、
前記追加バウンド用障壁は、平面視の形状が円環状とされていることを特徴とするボールインターゲット。
【請求項１０】
請求項８または９記載のボールインターゲットにおいて、
前記追加バウンド用障壁は、断面が円形とされていることを特徴とするボールインターゲット。
【発明の詳細な説明】
【技術分野】
【０００１】
本発明は、サッカーなどのボールを蹴るスポーツの練習などに用いるボールインターゲットに関する。
【背景技術】
【０００２】
サッカー，ゴルフなどの球形の用具であるボールを用いた競技の練習、またボールを用いた遊技では、様々な器具が用いられている。例えば、サッカーの練習を一人で実施することを可能とするために、ボールを紐などにより使用者に連結可能とした器具がある（特許文献１，２参照）。例えば、弾性紐部材の一端に取り付けられたボール包持用被覆弾性帯面体でボールを包み、弾性紐部材の他端を使用者に固定し、使用者が蹴り出したボールが使用者の元に戻るようにしている。この器具を用いることで、キックの反復練習が可能となる。
【０００３】
しかしながら、上述した器具では、ボールに紐を取り付けているため、ボールにおける回転が制限され、不自然な状態となる。また、ボールは、弾性紐部材による戻る力を利用しているため、この点でも不自然な状態であり、また、ボールの中心を捉えるという技術の取得には向かない。
【０００４】
一方、ゴルフの練習器具として、パター練習用マットがある（特許文献３参照）。このパター練習用マットでは、人工芝上のマットに傾斜が設けられ、障壁の追加や障壁の形が変形可能とされている。このパター練習用マットによれば、ボールの大きさや種類、また使用者の年代や競技レベルに合わせて使用することが可能とされている。
【０００５】
この練習器具を、例えばサッカーの練習のための器具として応用すれば、ボールにおける回転が制限されることがない。
【先行技術文献】
【特許文献】
【０００６】
【特許文献１】特開平０８−２８０８６５号公報
【特許文献２】実開平０５−０９１７４１号公報
【特許文献３】実開昭６２−１７４５５９号公報
【発明の概要】
【発明が解決しようとする課題】
【０００７】
しかしながら、特許文献３の技術を応用したサッカーの練習器具では、的となるホールにボールを入れることが目的となるが、ホールにボールを入れる動作は、ボールを蹴る強さおよびボールを蹴り出す方向（角度）を適切にすることが必要となる。しかしながら、サッカーなどのスポーツでは、目的の方向に対してボールを強く蹴り出すことも重要となる。上述した練習器具では、ボールを強く蹴り出すと、ホールに入れることができなくなる。このように、従来では、サッカーなどのボールを蹴るスポーツの練習を、一人で実施することが容易ではないという問題があった。
【０００８】
本発明は、以上のような問題点を解消するためになされたものであり、サッカーなどのボールを用いたスポーツの練習が、例えば一人などの少人数であっても容易に実施できるようにすることを目的とする。
【課題を解決するための手段】
【０００９】
本発明に係るボールインターゲットは、平面視環状のバウンド用障壁と、バウンド用障壁の中央底部に配置された標的部とを備える。
【００１０】
上記ボールインターゲットにおいて、バウンド用障壁は、平面視の形状が円環状とされていればよい。また、バウンド用障壁は、断面が円形とされていればよい。
【００１１】
上記ボールインターゲットにおいて、大地側に配置される固定部を備え、バウンド用障壁は、固定部に固定されているようにしてもよい。
【００１２】
上記ボールインターゲットにおいて、バウンド用障壁の内側に配置された筒状の標的部障壁を備え、標的部は、標的部障壁の底部に配置され、標的部障壁は高さが可変とされているようにしてもよい。
【００１３】
上記ボールインターゲットにおいて、標的部障壁は、平面視の形状が円環状とされていればよい。また、標的部障壁は、固定部に固定されているようにしてもよい。
【００１４】
上記ボールインターゲットにおいて、バウンド用障壁の内側に配置された平面視環状の追加バウンド用障壁を備え、標的部は、追加バウンド用障壁の中央底部に配置され、追加バウンド用障壁は、バウンド用障壁より断面形状が高く形成されていればよい。
【００１５】
上記ボールインターゲットにおいて、追加バウンド用障壁は、平面視の形状が円環状とされていればよい。また、追加バウンド用障壁は、断面が円形とされていればよい。
【発明の効果】
【００１６】
以上説明したことにより、本発明によれば、サッカーなどのボールを用いたスポーツの練習が、例えば一人などの少人数であっても容易に実施できるというすぐれた効果が得られる。
【図面の簡単な説明】
【００１７】
【図１】図１は、本発明の実施の形態１におけるボールインターゲット１００の構成を示す斜視図である。
【図２】図２は、本発明の実施の形態１におけるボールインターゲット１００の構成を示す平面図である。
【図３】図３は、本発明の実施の形態２におけるボールインターゲット２００の構成を示す斜視図である。
【図４Ａ】図４Ａは、本発明の実施の形態２におけるボールインターゲット２００の構成を示す平面図である。
【図４Ｂ】図４Ｂは、本発明の実施の形態２におけるボールインターゲット２００の構成を示す平面図である。
【図５】図５は、本発明の実施の形態２におけるボールインターゲット２００の構成を示す断面図である。
【図６】図６は、本発明の実施の形態２におけるボールインターゲット２００の一部構成を示す断面図である。
【図７】図７は、本発明の実施の形態２におけるボールインターゲット２００の一部構成を示す断面図である。
【図８】図８は、本発明の実施の形態２におけるボールインターゲット２００の他の構成を示す斜視図である。
【図９】図９は、本発明の実施の形態２におけるボールインターゲット２００を用いた練習例を説明するための斜視図である。
【図１０】図１０は、本発明の実施の形態２におけるボールインターゲット２００を用いた練習例を説明するための斜視図である。
【発明を実施するための形態】
【００１８】
以下、本発明の実施の形態について図を参照して説明する。
【００１９】
［実施の形態１］
はじめに、本発明の実施の形態１について図１，図２を参照して説明する。図１は、本発明の実施の形態１におけるボールインターゲット１００の構成を示す斜視図である。図２は、本発明の実施の形態１におけるボールインターゲット１００の構成を示す平面図である。
【００２０】
このボールインターゲット１００は、バウンド用障壁１０１、標的部障壁１０２、標的部１０３を備える。また、これら各部分を固定する固定部１０４を備える。
【００２１】
バウンド用障壁１０１および標的部障壁１０２は、平面視環状とされている。例えば、円環状、多角形による環状とされていればよい。実施の形態１では、標的部障壁１０２を備え、標的部障壁１０２は、バウンド用障壁１０１の内側に配置されている。また、標的部障壁１０２は、筒状とされている。また、標的部１０３は、バウンド用障壁１０１の中央底部に配置されている。実施の形態１では、標的部障壁１０２を備えており、この場合、標的部１０３は、標的部障壁１０２の底部に配置されている。なお、バウンド用障壁１０１および標的部障壁１０２は、地面（大地）の側が、同一の平面上に配置されている。
【００２２】
また、バウンド用障壁１０１および標的部障壁１０２は、図２に示すように連続した環状とされている必要はなく、不連続な環状とされていてもよい。例えば、バウンド用障壁１０１および標的部障壁１０２は、８等分に分割して円環状に配置してもよい。
【００２３】
バウンド用障壁１０１は、例えば断面が円形とされていればよい。また、バウンド用障壁１０１の断面形状は、ボールインターゲット１００の外周側が、扇形となっていてもよい。また、バウンド用障壁１０１の断面形状は、ボールインターゲット１００の外周側が、多角形となっていてもよい。また、断面の形状は、これら複数の形状を組み合わせた断面形状（複合型）となっていてもよい。いずれにおいても、地面に略平行に飛来して衝突したボールの反射・進行方向を、斜め上方へ変更可能な形状とすればよい。
【００２４】
例えば、バウンド用障壁１０１の断面形状は、扇形とされていてもよい。また、バウンド用障壁１０１および標的部障壁１０２の断面形状は、下部の矩形部分と上部の三日月形状とが組み合わされた複合型とされていてもよい。また、バウンド用障壁１０１および標的部障壁１０２の断面形状は、下部の矩形部分と上部の半楕円形状とが組み合わされた複合型（一体形状）とされていてもよい。
【００２５】
また、標的部障壁１０２は、高さが可変とされている。標的部障壁１０２は、バウンド用障壁１０１より高くすることが可能とされていればよい。例えば、標的部障壁１０２は、最下部の下部障壁１２１と、中段の中部障壁１２２と、最上部の上部障壁１２３とから構成されている。このように、複数の部分より構成し、構成する部分の数を変えることで、標的部障壁１０２の高さを変えることができる。下部障壁１２１、中部障壁１２２、上部障壁１２３も、例えば断面が円形もしくは多角形とされていればよい。
【００２６】
実施の形態１によれば、様々な形状大きさのボール、様々な速度で転がってくるまたは飛来するボールが、バウンド用障壁１０１でバウンドすることで、蹴り出したボールをより高く上方へ跳ね上げさせることが容易となる。
【００２７】
バウンド用障壁１０１および標的部障壁１０２を構成する材料は、木材，プラスチックなどの剛体材料を用いればよく、また、ゴム，発泡プラスチックなどの弾性体材料を用いてもよい。また、バウンド用障壁１０１および標的部障壁１０２は、外皮を樹脂などから構成した中空構造体としてもよい。
【００２８】
バウンド用障壁１０１および標的部障壁１０２の各々の硬さや弾性率などによって、ボールの跳ね具合を調整することが可能である。また、外皮を樹脂などから構成した中空構造体とすることで、内圧の調整により、容易にボールの跳ね具合を調整することが可能となる。
【００２９】
また、標的部障壁１０２を、下部障壁１２１、中部障壁１２２、上部障壁１２３から構成し、これらを、外皮を樹脂などから構成した中空構造体とすることで、標的部障壁１０２の高さ調整が容易となる。中空構造における内圧を変化させることで、各部分の高さが変えられる。高さを変えることで、蹴り出したボールを標的部１０３に到達させる難易度を変化させることができる。
【００３０】
例えば、次の４つの状態の設定により、標的部障壁１０２の高さを、４段階に容易に変更できる。第１状態は、下部障壁１２１、中部障壁１２２、上部障壁１２３の全てにおいて、内圧を最大とする。第２状態は、下部障壁１２１は内圧を０とし、中部障壁１２２および上部障壁１２３の内圧を最大とする。第３状態は、下部障壁１２１および中部障壁１２２は内圧を０とし、上部障壁１２３の内圧を最大とする。第４状態は、下部障壁１２１、中部障壁１２２、上部障壁１２３の全てにおいて、内圧０とする。
【００３１】
また、標的部１０３をシート状とし、この標的部１０３と標的部障壁１０２との接合部を隙間なく接着しておくことで、標的部障壁１０２の内部に、水を溜めておくことが可能となる。水を溜めておくことで、標的部障壁１０２の内側に到達したボールが、外部に跳ね出すことが抑制できるようになる。なお、標的部１０３を衝撃吸収材から構成することで、標的部１０３に到達したボールの、外部への跳ね出しが抑制できる。
【００３２】
また、上述したように水を溜めることができる構造とすることで、ボールインターゲット１００の標的部障壁１０２の部分を、幼児用の簡易プール、もしくは緊急時用の水溜め用具として使用することも可能である。
【００３３】
ボールインターゲット１００は、例えば、サッカーやフットゴルフなどの練習に用いられる。例えば、蹴り出したボールの到達目標を標的部１０３とすることで、ボールコントロールの練習をすることができる。標的部１０３は、標的部障壁１０２の底部に配置しており、筒状の標的部障壁１０２を穴部と見立てた練習ができる。ボールインターゲット１００によれば、地面に凹みや穴（カップ）などを形成する必要がない。
【００３４】
例えば、バウンド用障壁１０１は、ボールインターゲット１００の外側より一定以上の速度で地面を転がって来て衝突したボールを、斜め上方に跳ね上げさせる。標的部障壁１０２は、ボールインターゲット１００の外周方向より飛来するボールが、標的部１０３に到達することを阻害するために設けられている。標的部障壁１０２を高くするほど、標的部１０３に対してボールを到達させる難易度が上昇する。
【００３５】
例えば、地面を転がるボールを蹴り出すことでバウンド用障壁１０１に衝突させて斜め上方に跳ね上げ、跳ね上げられたボールを標的部障壁１０２を越えて標的部１０３に到達させる、といった練習が考えられる。ボールを、適切な力で蹴り出し、バウンド用障壁１０１の所定箇所に正確に衝突させることで、バウンド用障壁１０１で跳ね上げられたボールを標的部１０３に到達させることができる。
【００３６】
また、ボールを蹴り上げることで、蹴り上げたボールを標的部障壁１０２を越え、直接、標的部１０３に到達させる、といった練習が考えられる。ボールを、適切な力で、適切な角度および方向に蹴り出すことで、ボールを標的部１０３に到達させることができる。
【００３７】
上述したように、ボールインターゲット１００によれば、標的部１０３にボールを到達させようとすることにより、正確なボールコントロールの技術取得が可能となる。
【００３８】
［実施の形態２］
次に、本発明の実施の形態２について図３，図４Ａ，図４Ｂ，図５を参照して説明する。図３は、本発明の実施の形態２におけるボールインターゲット２００の構成を示す斜視図である。図４Ａ，図４Ｂは、本発明の実施の形態２におけるボールインターゲット２００の構成を示す平面図である。図５は、本発明の実施の形態２におけるボールインターゲット２００の構成を示す断面図である。
【００３９】
このボールインターゲット２００は、バウンド用障壁２０１、追加バウンド用障壁２０２、標的部障壁２０３、標的部２０４を備える。また、これら各部分を固定する固定部２０５を備える。
【００４０】
バウンド用障壁２０１、追加バウンド用障壁２０２、標的部障壁２０３は、平面視環状とされている。例えば、円環状、多角形による環状とされていればよい。追加バウンド用障壁２０２は、バウンド用障壁２０１の内側に配置されている。実施の形態２では、標的部障壁２０３に加えて追加バウンド用障壁２０２を備え、標的部障壁２０３は、追加バウンド用障壁２０２の内側に配置されている。標的部２０４は、追加バウンド用障壁２０２の中央底部に配置されている。なお、標的部障壁２０３は、筒状とされている。また、標的部２０４は、標的部障壁２０３の底部に配置されている。なお、バウンド用障壁２０１、追加バウンド用障壁２０２、標的部障壁２０３は、地面（大地）の側が、同一の平面上に配置されている。
【００４１】
また、バウンド用障壁２０１、追加バウンド用障壁２０２、標的部障壁２０３は、図４Ａに示すように、連続した環状とされている必要はなく、図４Ｂに示すように、不連続な環状とされていてもよい。図４Ｂには、バウンド用障壁２０１、追加バウンド用障壁２０２、標的部障壁２０３を、８等分に分割して円環状に配置した場合を例示している。
【００４２】
追加バウンド用障壁２０２は、バウンド用障壁２０１より断面形状が高くされている。なお、「高く」とは、ボールインターゲット２００が設置される地面や床面からみて高くされているということを示している。バウンド用障壁２０１，追加バウンド用障壁２０２は、例えば断面が円形とされていればよい。この場合、追加バウンド用障壁２０２が、バウンド用障壁２０１より断面が太く形成されていればよい。また、バウンド用障壁２０１，追加バウンド用障壁２０２の断面形状は、ボールインターゲット２００の外周側が、扇形となっていてもよい。また、バウンド用障壁２０１，追加バウンド用障壁２０２の断面形状は、ボールインターゲット２００の外周側が、多角形となっていてもよい。また、断面の形状は、これら複数の形状を組み合わせた断面形状（複合型）となっていてもよい。いずれにおいても、地面に略平行に飛来して衝突したボールの反射・進行方向を、斜め上方へ変更可能な形状とすればよい。
【００４３】
例えば、図６に示すように、バウンド用障壁２０１の断面形状は、扇形とされ、追加バウンド用障壁２０２の断面形状は、下部の矩形部分と上部の三日月形状とが組み合わされた複合型とされ、標的部障壁２０３の断面形状は、下部の矩形部分と上部の半楕円形状とが組み合わされた複合型（一体形状）とされていてもよい。
【００４４】
また、標的部障壁２０３は、高さが可変とされている。標的部障壁２０３は、追加バウンド用障壁２０２より高くすることが可能とされていればよい。例えば、標的部障壁２０３は、最下部の下部障壁２３１と、中段の中部障壁２３２と、最上部の上部障壁２３３とから構成されている。このように、複数の部分より構成し、構成する部分の数を変えることで、標的部障壁２０３の高さを変えることができる。下部障壁２３１、中部障壁２３２、上部障壁２３３も、例えば断面が円形もしくは多角形とされていればよい。
【００４５】
ここで、各バウンド用障壁は、図７の断面図に示すように、ボール４０１の中心である点３１１とボール４０１とバウンド用障壁２０１が衝突時に接触する接点３１２、ボール４０１と地面が接触している接点３１３とによる三角形の角θの角度が、次に示す角度以下になるように配置する。まず、各バウンド用障壁を剛体から構成した場合、角θは最大値を４５°とすればよい。また、各バウンド用障壁を弾性体から構成した場合、弾性率によって、角θは最大値を７５°とすればよい。この角度は、各バウンド用障壁を構成する材料や弾性率、また、設置位置などを考慮して適宜に設定して調整すればよい。
【００４６】
また、断面がバウンド用障壁２０１より高く形成されている追加バウンド用障壁２０２により、より多様なボールの種類、ボールの動き、ボールスピードに対応することが可能となっている。追加バウンド用障壁２０２は、この頂点部２０２ａが、接点３１３と接点３１２とを結んだ延長線３１４よりも高くなるように配置するとよい。
【００４７】
上述した形状および配置とすることで、様々な形状大きさのボール、様々な速度で転がってくるまたは飛来するボールが、バウンド用障壁２０１でバウンドし、更に追加バウンド用障壁２０２でバウンドすることで、蹴り出したボールをより高く上方へ跳ね上げさせることが容易となる。
【００４８】
バウンド用障壁２０１、追加バウンド用障壁２０２、標的部障壁２０３を構成する材料は、木材，プラスチックなどの剛体材料を用いればよく、また、ゴム，発泡プラスチックなどの弾性体材料を用いてもよい。また、バウンド用障壁２０１、追加バウンド用障壁２０２、標的部障壁２０３は、外皮を樹脂などから構成した中空構造体としてもよい。
【００４９】
バウンド用障壁２０１、追加バウンド用障壁２０２、標的部障壁２０３の各々の硬さや弾性率などによって、ボールの跳ね具合を調整することが可能である。また、外皮を樹脂などから構成した中空構造体とすることで、内圧の調整により、容易にボールの跳ね具合を調整することが可能となる。
【００５０】
ところで、外皮を樹脂などから構成した中空構造とすると、例えば、バウンド用障壁２０１の全体が、ボールの衝突により変形しやすいものとなる。このような場合、図８に示すように、トレーニングハードル２０６などの、市販されている用具を用いてバウンド用障壁２０１を固定してもよい。
【００５１】
また、標的部障壁２０３を、下部障壁２３１、中部障壁２３２、上部障壁２３３から構成し、これらを、外皮を樹脂などから構成した中空構造体とすることで、標的部障壁２０３の高さ調整が容易となる。中空構造における内圧を変化させることで、各部分の高さが変えられる。高さを変えることで、蹴り出したボールを標的部２０４に到達させる難易度を変化させることができる。
【００５２】
例えば、次の４つの状態の設定により、標的部障壁２０３の高さを、４段階に容易に変更できる。第１状態は、下部障壁２３１、中部障壁２３２、上部障壁２３３の全てにおいて、内圧を最大とする。第２状態は、下部障壁２３１は内圧を０とし、中部障壁２３２および上部障壁２３３の内圧を最大とする。第３状態は、下部障壁２３１および中部障壁２３２は内圧を０とし、上部障壁２３３の内圧を最大とする。第４状態は、下部障壁２３１、中部障壁２３２、上部障壁２３３の全てにおいて、内圧０とする。
【００５３】
また、標的部２０４をシート状とし、この標的部２０４と標的部障壁２０３との接合部を隙間なく接着しておくことで、標的部障壁２０３の内部に、水を溜めておくことが可能となる。水を溜めておくことで、標的部障壁２０３の内側に到達したボールが、外部に跳ね出すことが抑制できるようになる。なお、標的部２０４を衝撃吸収材から構成することで、標的部２０４に到達したボールの、外部への跳ね出しが抑制できる。
【００５４】
また、上述したように水を溜めることができる構造とすることで、ボールインターゲット２００の標的部障壁２０３の部分を、幼児用の簡易プール、もしくは緊急時用の水溜め用具として使用することも可能である。
【００５５】
ボールインターゲット２００は、例えば、サッカーやフットゴルフなどの練習に用いられる。例えば、蹴り出したボールの到達目標を標的部２０４とすることで、ボールコントロールの練習をすることができる。標的部２０４は、標的部障壁２０３の底部に配置しており、筒状の標的部障壁２０３を穴部と見立てた練習ができる。ボールインターゲット２００によれば、地面に凹みや穴（カップ）などを形成する必要がない。
【００５６】
例えば、バウンド用障壁２０１は、ボールインターゲット２００の外側より一定以上の速度で地面を転がって来て衝突したボールを、斜め上方に跳ね上げさせる。追加バウンド用障壁２０２は、ボールインターゲット２００の外周方向より飛来して衝突したボールを斜め上方に跳ね上げさせる。標的部障壁２０３は、ボールインターゲット２００の外周方向より飛来するボールが、標的部２０４に到達することを阻害するために設けられている。標的部障壁２０３を高くするほど、標的部２０４に対してボールを到達させる難易度が上昇する。
【００５７】
例えば図９に示すように、地点Ａより地面を転がるボール４０１を蹴り出すことで、バウンド用障壁２０１に衝突させて斜め上方に跳ね上げ、跳ね上げられたボール４０１を追加バウンド用障壁２０２に衝突させて更に上方に跳ね上げ、このボール４０１を、標的部障壁２０３を越えて標的部２０４に到達させる、といった練習が考えられる。ボール４０１を、適切な力で蹴り出し、バウンド用障壁２０１の所定箇所に正確に衝突させることで、バウンド用障壁２０１で跳ね上げられたボール４０１を、上述した軌跡をたどって標的部２０４に到達させることができる。
【００５８】
また、図１０に例示するように、地点Ａよりボール４０１を蹴り上げることで、蹴り上げたボール４０１を、標的部障壁２０３を越え、直接、標的部２０４に到達させる、といった練習が考えられる。ボール４０１を、適切な力で、適切な角度および方向に蹴り出すことで、ボール４０１を標的部２０４に到達させることができる。
【００５９】
上述したように、ボールインターゲット２００によれば、標的部２０４にボールを到達させようとすることにより、正確なボールコントロールの技術取得が可能となる。
【００６０】
以上に説明したように、本発明によれば、環状のバウンド用障壁を用い、この中央底部に標的部を配置するようにしたので、サッカーなどのボールを蹴るスポーツの練習が、例えば一人などの少人数であっても容易に実施できるようになる。
【００６１】
また、本発明によれば、難易度を変化させられることで、技術習得レベルに応じて、ゲーム性を保つことができる。更に、本発明のボールインターゲットは、サッカーなどに限らず、ボーリングやペタンクなどのボールを投てきするスポーツやゲームなどの練習に対応させることも可能である。
【００６２】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００６３】
１００…ボールインターゲット、１０１…バウンド用障壁、１０２…標的部障壁、１０３…標的部、１０４…固定部。
【図１】
2018082890.tif 000003
【図２】
2018082890.tif 000004
【図３】
2018082890.tif 000005
【図４Ａ】
2018082890.tif 000006
【図４Ｂ】
2018082890.tif 000007
【図５】
2018082890.tif 000008
【図６】
2018082890.tif 000009
【図７】
2018082890.tif 000010
【図８】
2018082890.tif 000011
【図９】
2018082890.tif 000012
【図１０】
2018082890.tif 000013